(57)【要約】【課題】ハンドグリップを収納した状態でノートパソコンを操作するのであるが、ノートパソコンの傾き、振動等でハンドグリップがずり出してくる場合があるので、ハンドグリップ部に何らかのロック機構が必要である。【解決手段】把手部分であって、ハンドルリング１４を有するグリップ部１１と、携帯型機器とグリップ部を連結する部分であり、断面形状が円形を一部直線的に切り落とした形状の軸１８を有しする一対のジョイント１５とを備え、軸１８はハンドルリング１４のリング内側を移動し、軸１８の断面形状に対応した形状で成形された当該リング１４内側の端で係止するハンドグリップの構造をもつことで、ノートパソコンの傾き、振動等でグリップ部がずり出してくることはない。【選択図】図３
2007128200.tif 000002
【特許請求の範囲】
【請求項１】
携帯型機器などを持ち運ぶときに手で握るハンドグリップであって、
把手部分であって、ハンドルリングを有するグリップ部と、
前記携帯型機器と前記グリップ部を連結する部分であり、断面形状が円形を一部直線的に切り落とした形状の軸を有しする一対のジョイントと、
を備え、
前記軸は前記ハンドルリングのリング内側を移動し、前記軸の断面形状に対応した形状で成形された当該リング内側の端で係止すること特徴とするハンドグリップ。
【請求項２】
前記ハンドルリングは樹脂系の材料を用いること特徴とする請求項１に記載のハンドグリップ。
【発明の詳細な説明】
【技術分野】
【０００１】
本発明は、携帯型情報処理装置を持ち運ぶときに手で握る部分であるハンドグリップの構造に関するものである。
【背景技術】
【０００２】
近年、ノート型パーソナルコンピュータなどのような携帯型情報処理装置が広く普及し、屋外に持ち出して使用する機会が益々多くなってきている。
【０００３】
図５は従来の携帯型情報処理装置（以下ノートパソコン）の本体部分５１の斜視図である。５２は液晶パネルによる表示部である。（本発明にはあまり関係しないので破線で表示している。またキーボード部分のキーは一部表記している。）５３はノートパソコンを手で握って持ち運ぶための把手（以下ハンドグリップ）である。
【０００４】
図６（ａ）、（ｂ）はハンドグリップ５３とその周辺を表記した図である。ノートパソコンを操作するときは図６（ａ）の状態で使用し、手で持ち運びするときは図６（ｂ）のようにはハンドグリップ５３を引っぱりだしてカバンのように手で握って持ち運ぶように構成されている。
【特許文献１】特開平９ー１０１８４０号公報
【特許文献２】実開平６−１９０１７号公報
【発明の開示】
【発明が解決しようとする課題】
【０００５】
しかしながら、図６（ａ）の様にハンドグリップを収納した状態でノートパソコンを操作するのであるが、ノートパソコンの傾き、振動等でハンドグリップがずり出してくる場合があるので、ハンドグリップ部に何らかのロック機構が必要である。
【０００６】
本発明の携帯型情報処理装置のハンドグリップでは、装置本体にハンドグリップを押し込めばハンドグリップは収納された状態でロックされ、ハンドグリップを手で引っぱることにより容易に引出せるようにするものである。また特許文献１、特許文献２のような多くの部品を使用しない構成でこれを実現する。
【課題を解決するための手段】
【０００７】
本発明の請求項１に記載の発明は、
携帯型機器などを持ち運ぶときに手で握るハンドグリップであって、把手部分であって、ハンドルリングを有するグリップ部と、前記携帯型機器と前記グリップ部を連結する部分であり、断面形状が円形を一部直線的に切り落とした形状の軸を有しする一対のジョイントと、を備え、前記軸は前記ハンドルリングのリング内側を移動し、前記軸の断面形状に対応した形状で成形された当該リング内側の端で係止すること特徴とするハンドグリップとしたものであり、
グリップ部をノートパソコン本体に押し込んだ状態で、ノートパソコンの傾き、振動等でグリップ部がずり出してくることはないという作用を有する。
【発明の効果】
【０００８】
以上のように本発明は、グリップ部をノートパソコン本体に押し込んだ状態で、ジョイントの軸はハンドルリングの突起部によりロックされ、ノートパソコンの傾き、振動等でグリップ部がずり出してくることはない。また、従来に比べて極めて簡単な構成でこれを実現することができるという優れた効果が得られる。
【発明を実施するための最良の形態】
【０００９】
以下、本発明の実施の形態について、図１から図４を用いて説明する。
【００１０】
（実施の形態１）
図１は本発明のハンドグリップの両側面から見た図（ａ），（ｃ）と平面図（ｂ）である。
【００１１】
図２は本発明のハンドグリップ組立図である。
【００１２】
図３は本発明のハンドグリップの側面図とロック機構部分を拡大した図である。
【００１３】
図４は本発明のハンドグリップのロック機構部分を拡大した図と、ロック機構の動作を説明する図である。
【００１４】
各図において１１はグリップ部、１２はノートパソコン本体とグリップ部１１を回動自在に取り付けるための軸部で、この軸部にはロック機構は必要ない。１３はグリップ部１１のグリップ下部、１６はグリップ部１１のグリップ上部であり、１４はハンドルリングである。１５はジョイントであり、グリップ部１１とノートパソコン本体を、軸部１２を介して連結する。１７はハンドルリング１４、ジョイント１５を、グリップ下部１３，上部１６で挟み込んで固定するネジである。
【００１５】
以上のように構成されたハンドグリップについて、図３、図４を用いてその動作を説明する。
【００１６】
図３（ａ）は図６（ａ）の様にハンドグリップをノートパソコン本体に収納した状態であり、図３（ｂ）はハンドグリップのロック機構部分の拡大図である。１８はジョイント１５の一部を構成する軸部であり、軸１８はその断面が円形を一部直線的に切り落としたアルファベットの「Ｄ」の様な形状の柱状をしている。またハンドルリング１４の内側の形状は図３（ｂ）Ｂ側（軸１２に近い側）では半円の円弧形状である。一方、ハンドルリング１４の図３（ｂ）Ａ側（ネジ１７に近い側）の内側の形状は、グリップ部１１がノートパソコン本体に収納したときには軸１８のその「Ｄ」形状の断面に対応するように突起部１９をもった断面形状になっている。また、図３，図４からもわかるように「Ｄ」形状の直線部分は図の水平方向を基軸として直角ではなく所定の角度をもたせた形になっている。
【００１７】
図４（ａ）はグリップ部１１をノートパソコン本体に収納した状態であり、ジョイント１５の軸１８はハンドルリング１４の突起部１９によりロックされている。グリップ部１１を手で引き出すとロックがはずれ、軸１８はハンドルリング１４のリング内側の空洞部分を移動する（図４（ｂ））。軸１８のハンドルリング１４のリング内側の空洞内移動に従ってハンドルリング１４、これを収納しているジョイント１５はノートパソコン本体に対する角度（紙面水平方向を基軸にした角度）を増し、図４（ｃ）の状態になり、図６（ｂ）のようにグリップ１１部が引き出される。この状態、つまり図４（ｃ）の状態でノートパソコンは手でグリップ部１１を握り持ち運ばれる。
【００１８】
また、このようにハンドグリップが引き出された状態から元のハンドグリップをノートパソコン本体に押し込めた状態にしてノートパソコンの操作をする場合には、４図（ｃ）、（ｂ）、（ａ）の逆の順序に軸１８はハンドルリング１４のリング内側を移動する。
【００１９】
また、軸１８がハンドルリング１４の突起部１９によるロック状態からハンドグリップを手で引き出してロックがはずれる時、あるいはハンドグリップをノートパソコン本体に押し込めたロック状態に戻す時それぞれには、使用者はこの軸１８と突起部１９によるクリック感によりそのロック状態を確認することができる。
【００２０】
以上のように本実施の形態によれば、軸１８はその断面が円形を一部直線的に切り落としたアルファベットの「Ｄ」の様な形状の柱状にして、ハンドルリング１４の図３（ｂ）Ａ側（ネジ１７に近い側）の内側の形状は、グリップ部１１がノートパソコン本体に収納したときには軸１８のその「Ｄ」形状の断面に対応するように突起部１９をもった断面形状にすることで、グリップ部１１をノートパソコン本体に押し込んだ状態で、ジョイント１５の軸１８はハンドルリング１４の突起部１９によりロックされ、ノートパソコンの傾き、振動等でグリップ部１１がずり出してくることはない。
【００２１】
また、構成部品は、グリップ下部１３、グリップ上部１６、４個のハンドルリング１４、２個のジョイント１５、２個のネジ１７、述べ１０点により極めて簡単な構成でこれを実現することができる。
【００２２】
なお、図３，図４の説明で図の水平方向を基軸に対するハンドルリング１４の内側形状の突起部１９の直線部分の角度、同様に図の水平方向を基軸に対する「Ｄ」形状の断面の軸１８の直線部分の角度を「所定の角度」として説明したが、３０〜６０度であるのが好ましい。
【００２３】
また、各構成部品の材質に関して、ハンドルリング１４はロックが外れやすいようにジュラコン（ＰＯＭ、ポリオキシメチレン）のような樹脂系の材料を用い、ネジ以外の他はマグネシウムのような軽量で堅く丈夫な材質を選ぶのが好ましい。但し、突起部１９は摩耗が激しいのでメッキのような強度を増す加工、あるいは表面を滑りやすくする加工をするのがより望ましい。
【００２４】
また、図４の様な軸１８形状、ハンドルリング１４の形状に代えて、図７（ａ−１）、（ｂ−１）、（ｃ−１）のように軸１８の断面を完全な円形状でも良いし、（ａ−２）、（ｂ−２）、（ｃ−２）のように円形を一部直線的に切り落とした形状でも良い。ハンドルリング１４のリング内側形状に関しても、図７の（ａ）、（ｂ）、（ｃ）ようにくびれた繭形状にしても同様な効果が得られる。
【産業上の利用可能性】
【００２５】
本発明にかかるハンドグリップは、グリップ部をノートパソコン本体に押し込んだ状態で、ノートパソコンの傾き、振動等でグリップ部がずり出してくることはないという効果を有し、携帯型の装置を持ち運ぶときに手で握る部分であるハンドグリップの構造等として有用である。
【図面の簡単な説明】
【００２６】
【図１】本発明のハンドグリップの両側面から見た図と平面図
【図２】本発明のハンドグリップ組立図
【図３】本発明のハンドグリップの側面図とロック機構部分を拡大した図
【図４】本発明のハンドグリップのロック機構部分を拡大した図と、ロック機構の動作を説明する図
【図５】従来の携帯型情報処理装置（ノートパソコン）の本体部分の斜視図
【図６】ハンドグリップとその周辺を表記した図
【図７】軸１８形状とハンドルリング１４の形状の変形例の図
【符号の説明】
【００２７】
１１  グリップ部
１２  軸部
１３  グリップ下部
１４  ハンドルリング
１５  ジョイント
１６  グリップ上部
１７  ネジ
１８  ジョイントの一部を構成する軸部
１９  突起部
５１  携帯型情報処理装置（ノートパソコン）の本体部分
５２  表示部
５３  ハンドグリップ
【図２】
2007128200.tif 000003
【図３】
2007128200.tif 000004
【図４】
2007128200.tif 000005
【図５】
2007128200.tif 000006
【図６】
2007128200.tif 000007
【図７】
2007128200.tif 000008
【図１】
2007128200.tif 000009